【事件の表示】
　特願２００２−３０６８５７「ガスセンサの制御装置」拒絶査定不服審判事件〔平成１６年　５月２０日出願公開、特開２００４−１４４５０４〕について、次のとおり審決する。
【結　論】
　本件審判の請求は、成り立たない。
【理　由】
第１　手続の経緯  
　本願は，平成１４年１０月２２日の出願であって，平成１９年１１月７日付けで拒絶理由が通知され，平成２０年１月１５日付けで手続補正がなされ，同年３月２１日付けで最後の拒絶理由が通知され，同年６月２日付けで手続補正がなされたが，この手続補正について，同年９月２６日付けで，補正却下するとともに，同日付けで拒絶査定がなされ，これに対し，同年１１月６日に拒絶査定不服審判請求がされるとともに，同年１２月１日付けで手続補正がなされたものである。さらに，当審において，平成２０年１２月１日付け手続補正を，平成２２年４月３０日付けで補正却下するとともに，同日付で拒絶理由を通知したところ（発送日：同年５月１１日），その指定期間内である同年７月８日付けで手続補正書が提出された。
　
第２　本願発明について
　本願請求項１〜８に係る発明は，平成２２年７月８日付け手続補正書により補正された特許請求の範囲の請求項１〜８に記載された技術的事項により特定されるものと認められ，その請求項１に係る発明は次のとおりである。（以下，「本願発明」という。）
「【請求項１】それぞれ固体電解質体と一対の電極よりなるモニタセルとポンプセルを有するガスセンサの制御装置であって，
前記モニタセルの出力が一定となるように，前記モニタセルの出力に基づき前記ポンプセル電流を制御して，該ポンプセル電流に基く被測定ガス中の酸素濃度を検出するとともに，前記モニタセルの電流変化に伴う前記モニタセルおよび前記ポンプセルの電圧変化に基づいて前記ガスセンサの素子インピーダンスを検出し，かつ，前記ポンプセル電流に基づいて求められる前記酸素濃度の検出信号をホールドするホールド手段を具備せしめ，素子インピーダンスの検出時には，素子インピーダンスの検出実施前の前記酸素濃度の検出信号をホールドするようにしたことを特徴とするガスセンサの制御装置。」
　
第３　刊行物記載の事項
　当審の拒絶理由に引用され，本願出願前に頒布された刊行物である特開平１０−７３５６５号公報（以下，「刊行物１」という。）及び特開２０００−１７１４３９号公報（以下，「刊行物２」という。）には，図面と共に，次の事項が記載されている。なお，下線は当審にて付記したものである。
（１）刊行物１記載の事項
（１−１）「【０００３】全領域空燃比センサは，
酸素イオン伝導性固体電解質体の２つのセルを間隙（測定室）を介して対向配設し，一方のセルを間隙内の酸素を周囲にくみ出すもしくは周囲から酸素をくみ込むポンプセルとして用い，また，他方のセルを酸素基準室と間隙との酸素濃度差によって電圧を生じる起電力セルとして用い，起電力セルの出力が一定になるようにポンプセルを動作させ，その時に該ポンプセルに流す電流を，測定酸素濃度比例値として測定する
　
（１−２）「【００２２】オペアンプＯＰ２は，一方の入力端子に＋４Ｖが印加され，他方の入力端子はＶCENT点に接続されており，出力端子にて，ポンプセル１４を介して流れるＩｐ電流が変化しても，ＶCENT点に於いて４Ｖに保っように動作する。
ＰＩＤ制御を行うＰＩＤ回路は，起電力セル２４の起電力を検出し，抵抗Ｒ１を介して流すＩ
ｐ
電流によって該起電力を一定（０．４５Ｖ）に保つようにポンプセル１４の電流Ｉ
ｐ
を決定する動作を行う
ポンプセル１４に流される電流Ｉ
ｐ
の量に比例する電圧Ｖ
PID
がＰＩＤ回路の出力端に現れ，この電圧を酸素濃度検出回路５２で，図示しないＡ／Ｄ回路にてデジタル値に変換した後，保持しているマップから対応する酸素濃度値を検索し，
　【数１】　ＩPID＝（４Ｖ−ＶPID）／Ｒ１
【００２３】なお，
この実施態様では，ＰＩＤ回路の出力電圧Ｖ
PID
から酸素濃度値を測定しているが，この代わりに，オペアンプＯＰ２の電流又は電圧から酸素濃度を測定することも可能である
　
（１−３）「【要約】
【課題】起電力セルに電流または電圧を印加することで，起電力セルのみならずポンプセルの温度をも測定できる全領域空燃比センサ，全領域空燃比センサの温度制御方法及び装置を提供する。
【解決手段】起電力セル２４のプラス端子へ温度測定用定電流−Ｉconstが印加されている間においても，スイッチＳＷ１がオフとなりコンデンサＣ１にてＰＩＤ回路の出力値が一定に維持されるため，オペアンプＯＰ２が，該ＰＩＤ回路に抵抗Ｒ１を介して接続されたＶCENTの電位を一定に保つようにポンプセル１４のプラス端子へ電流を印加する。即ち，オペアンプＯＰ２が，起電力セル２４側へ印加された温度測定用定電流−Ｉconstと，逆極性の電流をポンプセル１４側へ印加する。このため，
ヒータ制御回路６０が，起電力セル２４への温度測定用定電流−Ｉ
const
の印加時に，該起電力セル２４の電位を測定して温度を求めるのと同時に，該ヒータ制御回路６０が，ポンプセル１４の電位を測定して温度を求め得る
　
（１−４）「【請求項３】前記
起電力セルの内部抵抗及びポンプセルの内部抵抗からそれぞれの温度を検出
　
（１−５）「【００２４】引き続き，コントローラ５０の
起電力セル２４の温度（抵抗）検出動作について説明する。オペアンプＯＰ１は，コンデンサＣ１と共にサンプルホールド回路を形成し，起電力セル２４の温度測定のための電圧印加中において電圧印加直前の，該起電力セル２４の起電力を保持してＶ０としてＰＩＤ回路に入力する役割を果たす
　
（１−６）「【００１５】請求項５の発明では，印加手段が，
起電力セルのプラス端子へ温度検出用電流もしくは電圧を印加した際に，起電力セルのプラス端子とＰＩＤ回路の入力との間に介在しているホールド手段が，該ＰＩＤ回路の入力電位を一定に保ち，該ＰＩＤ回路の出力値を一定に維持する。このため，起電力セルの温度測定中においても，酸素濃度検出手段が前記ＰＩＤ回路の出力電圧に基づき，一定の酸素濃度を出力することができる
【００１６】また，起電力セルのプラス端子へ温度検出用電流もしくは電圧が印加されている間においても，ＰＩＤ回路の出力値が一定に維持されるため，定電流手段が，該ＰＩＤ回路に抵抗を介して接続された該ノードの電位を一定に保つようにポンプセルのプラス端子へ電流を印加する。即ち，該定電流手段が，起電力セル側へ印加された温度検出用電流もしくは電圧と，逆極性の電流もしくは電圧をポンプセル側へ印加する。このため，起電力セル温度測定手段が，前記印加手段による起電力セルへの温度検出用電流もしくは電圧の印加時に，該起電力セルの電位を測定して起電力セルの温度を測定するのと同時に，ポンプセル温度測定手段が，前記ポンプセルの電位を測定し，該ポンプセルの温度を測定できる。即ち，新たにポンプセル側へ測定電流または電圧を印加する装置を付加することなく，起電力セルとポンプセルの温度を同時に測定することができる。」
　
（１−７）「【請求項４】加熱用ヒータによって加熱されるポンプセルと起電力セルとを間隙を介して対向配設し，酸素濃度を測定する全領域空燃比センサの温度制御装置であって，
　前記起電力セルのマイナス端子と，前記ポンプセルとのマイナス端子との共通端子に接続されたノードと，
該ノードの電位を一定に保つように前記ポンプセルのプラス端子へ電流を印加する定電流手段と，
　前記ノードに抵抗を介して出力端子が接続され，該抵抗を介して流れる電流によって起電力セルの電位を一定に保つＰＩＤ回路と，
　前記ＰＩＤ回路の出力電圧，又は，前記定電流手段の出力電流に基づき，酸素濃度を検出する酸素濃度検出手段と，
　前記起電力セルのプラス端子に起電力セルの温度検出用電流もしくは電圧を印加する印加手段と，前記起電力セルのプラス端子と前記ＰＩＤ回路の入力との間に介在し，前記印加手段による起電力セルへの温度検出用電流もしくは電圧の印加時に，該ＰＩＤ回路の入力電位を一定に保つホールド手段と，
前記印加手段による起電力セルへの温度検出用電流もしくは電圧の印加時に，該起電力セルのプラス端子の電位を測定し，起電力セルの温度を検出する起電力セル温度測定手段と，
　前記ポンプセルのプラス端子の電位を測定し，該ポンプセルの温度を検出するポンプセル温度測定手段と，
　前記起電力セルの温度と前記ポンプセルの温度のいずれか高い方の温度が上記規定温度よりも高いときには，加熱用ヒータの通電を抑え，いずれか低い方の温度が下限規定温度よりも低いときには，加熱用ヒータの通電を高める方向に制御する加熱用ヒータ制御手段と，から成ることを特徴とする全領域空燃比センサの温度制御装置。
【請求項５】請求項４の温度制御装置を備えた全領域空燃比センサ。」
　
（１−８）「【００２６】スイッチＳＷ１，ＳＷ２，ＳＷ３のタイミングチャートと共に起電力セル２４の両面の電極間電圧を図３に示す。スイッチＳＷ１は，上述したように所定のインターバルＴ５（約１秒）毎に設定された時間Ｔ６（約５００μｓ）に渡りオフし，起電力セル２４の抵抗（温度）測定を可能ならしめる。なお，このオフ時間Ｔ６においては，オペアンプＯＰ１から成るサンプルホールド回路にて，ＰＩＤ回路への入力値は０．４５Ｖに維持される。なおここで，本実施態様の全領域空燃比センサの温度変化は，通常の使用条件では３°Ｃ／秒程度であるため，１秒周期で測定することで温度を十分に管理できる。また，該１秒の内の５００μｍは，酸素濃度が測定できなくなるが，エンジンの空燃比を制御する上で十分に短い時間である。
【００２７】
スイッチＳＷ１がオフされてから時間Ｔ１（スイッチＳＷ１を構成するＣＭＯＳのディレイ時間であり約１μｓ）が経過した後，スイッチＳＷ２が時間Ｔ３（約１００μｓ）に渡りオンし，抵抗値測定用の一定電流−Ｉ
const
（−４．８８mA）を起電力セル２４側に流す。
【００２８】
スイッチＳＷ２が，起電力セル２４のプラス端子へ温度測定用定電流−Ｉ
const
を印加している間は，スイッチＳＷ１がオフとなり，コンデンサＣ１の一定電位が，ＰＩＤ回路の入力電位を一定に保ち，該ＰＩＤ回路の出力電圧Ｖ
PID
を一定に維持する。
【００２９】このため，オペアンプＯＰ２が，ＶCENTの電位を一定に保つように前記ポンプセル１４のプラス端子へ電流を印加する。即ち，該オペアンプＯＰ２が，起電力セル２４側へ印加された温度測定用定電流−Ｉconstと，逆極性の電流をポンプセル１４側へ印加する。図３中に，該逆極性の電流によって発生したポンプセル１４側の電位Ｖｐを示す。」
　
（１−９）「【００４４】また，請求項４又は５の発明では，
スイッチＳＷ２が，起電力セルのプラス端子へ温度測定用定電流を印加した際に，スイッチＳＷ１がオフとなりコンデンサＣ１に保持されている電圧が，ＰＩＤ回路の入力電位を一定に保ち，該ＰＩＤ回路の出力値を一定に維持する。このため，起電力セルの温度測定中においても，酸素濃度検出回路がＰＩＤ回路の出力電圧に基づき，一定の酸素濃度を出力することができる
　
　ここで，摘記事項（１−５）に，「起電力セル２４の温度測定のための電圧印加中において電圧印加直前の」と記載されているが，摘記事項（１−７）に「前記起電力セルのプラス端子に起電力セルの温度検出用電流もしくは電圧を印加する印加手段」と記載されているように，印加するのは電流でも電圧でも良く，摘記事項（１−４）や（１−３）に記載の如く，温度測定のために電流を印加した場合は，摘記事項（１−５）は「起電力セル２４の温度測定のための電流印加中において電流印加直前の」と読み替えることができることは明らかである。
　また，摘記事項（１−２）に「上記ＰＩＤ回路の出力電圧ＶPIDは，起電力セル２４の電位Ｖｓの目標値（０．４５Ｖ）との差で決まり，測定ガス雰囲気に応じた次式のＩPIDが抵抗Ｒ１へ流れる。・・・ポンプセル１４に流される電流Ｉｐの量に比例する電圧ＶPIDがＰＩＤ回路の出力端に現れ，この電圧を酸素濃度検出回路５２で，図示しないＡ／Ｄ回路にてデジタル値に変換した後，保持しているマップから対応する酸素濃度値を検索し」と記載されているから，ポンプセル１４に流される電流Ｉｐの量に比例する電圧ＶPIDは，酸素濃度値と対応関係にあるといえる
　また，摘記事項（１−９）には，ＶPIDについて，「スイッチＳＷ２が，起電力セルのプラス端子へ温度測定用定電流を印加した際に，スイッチＳＷ１がオフとなりコンデンサＣ１に保持されている電圧が，ＰＩＤ回路の入力電位を一定に保ち，該ＰＩＤ回路の出力値を一定に維持する。このため，起電力セルの温度測定中においても，酸素濃度検出回路がＰＩＤ回路の出力電圧に基づき，一定の酸素濃度を出力することができる。」と記載されているから，起電力セルの起電力をコンデンサＣ１ホールドすることで，ＶPIDを一定の値に維持する手段が記載されているといえる。
　
（刊行物１に記載の発明）
　以上の事項を総合すると，刊行物１には，次の発明が記載されていると認められる。
「それぞれ固体電解質体と一対の電極よりなるモニタセルとポンプセルを有するガスセンサの制御装置にあって，
前記起電力セルの出力が一定となるように，前記起電力セルの出力に基づき前記ポンプセルに流す電流Ｉｐを制御し，電流Ｉｐの量に比例する電圧ＶPIDを酸素濃度検出回路５２で，保持しているマップから対応する酸素濃度値を検索し，
起電力セル２４側へ温度測定用定電流−Ｉconstを印加することに伴う，該起電力セル２４の電位変化ΔＶＳおよびポンプセルの電位ＶＰから内部抵抗を測定し，
該起電力セル２４の起電力をコンデンサＣ１にホールドすることで，ポンプセル１４に流される電流Ｉｐの量に比例する電圧ＶPIDを一定の値に維持する手段を有し，スイッチＳＷ１がオフとなり，コンデンサＣ１にホールドされた一定電位がＰＩＤ回路の入力電位を一定に保つことで，該ＰＩＤ回路の出力電圧ＶPIDを一定に維持し，その後，スイッチＳＷ１を構成するＣＭＯＳのディレイ時間である約１μｓ時間Ｔ１が経過した後，スイッチＳＷ２が時間Ｔ３（約１００μｓ）に渡りオンし，抵抗値測定用の一定電流−Ｉconst（−４．８８mA）を起電力セル２４側に流すようにしたことを特徴とする酸素センサの制御装置。」（以下，「刊行物１発明」という。）
　
（２）刊行物２記載の事項
（２−１）「【００２１】請求項８に記載の発明では，前記各
セルの内部抵抗検出のためにセル印加電圧又は電流を一時的に変化させる装置において
各セルの内部抵抗検出時には直前の信号出力を前記サンプルホールド回路によりホールドさせる
　
（２−２）「【００２８】以下に，ガス濃度検出装置の構成を詳細に説明する。先ずは図３を用いてガス濃度センサ１００の構成を説明する。ガス濃度センサ１００は２セル構造を有し，ＮＯｘ濃度の検出と同時に酸素濃度の検出が可能な，いわゆる複合型ガスセンサとして構成される。ガス濃度センサ１００は，ポンプセル１１０，多孔質拡散層１０１，センサセル１２０，大気ダクト１０２及びヒータ１０３を要件とし，これら各部材が積層されて成る。なお，同センサ１００は図の右端部にてエンジン排気管に取り付けられ，その上下面及び左面が排ガスに晒されるようになっている。」
　
（２−３）「【０１０６】また同様に，制御回路２００からＤ／Ａ０信号（指令電圧Ｖｃ）が出力されてセンサセル側のインピーダンス検出が行われる場合，信号ＳＧ１によりポンプセル側（他側）のＳ／Ｈ回路３０２をホールド状態とする。これにより，
ポンプセル電流Ｉ
ｐ
に応じた酸素濃度出力がゲートＯＦＦ直前の値（インピーダンス検出直前の値）で保持され
　
（２−４）「【００２２】つまり，第１又は第２セルを含む各セルの内部抵抗検出のためにセル印加電圧を一時的に変化させる装置では，その電圧変化の際に互いのセル間で電流が干渉したり，ガス濃度の信号出力が不用意に変動したりする。これに対し本発明では，各セルの内部抵抗検出時には直前の信号出力をサンプルホールド回路によりホールドさせるため，上記不具合が解消される。」
　
第４　対比
　そこで，本願発明と刊行物１発明を対比すると，
（１）刊行物１発明の「酸素イオン伝導性固体電解質体」は，本願発明の「固体電解質」に包含される。また，刊行物１発明の両面に両面の多孔質電極が設けられた「酸素基準室と前記測定室との酸素濃度差によって電圧を生じる起電力セル」及び「前記測定室内の酸素を周囲にくみ出すもしくは酸素をくみ込むポンプセル」は，それぞれ本願発明の一対の電極からなる「モニタセル」及び「ポンプセル」に相当する。  
　そうすると，刊行物１発明の「酸素イオン伝導性固体電解質体の両面に多孔質電極が設けられた２つのセルを，測定室を介して対向配設し，一方のセルを前記測定室内の酸素を周囲にくみ出すもしくは酸素をくみ込むポンプセルとし，他方のセルを酸素基準室と前記測定室との酸素濃度差によって電圧を生じる起電力セルとした酸素センサの制御装置」は，本願発明の「それぞれ固体電解質体と一対の電極よりなるモニタセルとポンプセルを有するガスセンサの制御装置」に相当する。  
　
（２）刊行物１発明の「前記起電力セルの出力が一定となるように，前記起電力セルの出力に基づき前記ポンプセルに流す電流Ｉｐを制御」することは，本願発明の「前記モニタセルの出力が一定となるように，前記モニタセルの出力に基づき前記ポンプセル電流を制御」することに相当する。そして，刊行物１発明は，この電流Ｉｐの量に比例する電圧ＶPIDを酸素濃度検出回路５２で，保持しているマップから対応する酸素濃度値を検索しているから，ポンプセルの制御電流Ｉｐに基づき酸素濃度を検出しているといえる。
　そうすると，刊行物１発明の「前記起電力セルの出力が一定となるように，前記起電力セルの出力に基づき前記ポンプセルに流す電流Ｉｐを制御し，電流Ｉｐの量に比例する電圧ＶPIDを酸素濃度検出回路５２で，保持しているマップから対応する酸素濃度値を検索」することは，本願発明の「前記モニタセルの出力が一定となるように，前記モニタセルの出力に基づき前記ポンプセル電流を制御して，この制御量から被測定ガス中の酸素濃度を検出する」ことに相当する。
　
（３）本願発明の「前記モニタセルの電流変化に伴う前記モニタセルおよび前記ポンプセルの電圧変化に基づいて前記ガスセンサの素子インピーダンスを検出」することについて，本願の発明の詳細な説明【００５１】〜【００５２】を参酌すると，モニタセルに試験電流Ｉ０（−）を流し，モニタセルの電圧変化ΔＶｍを測定し，ΔＶｍ／Ｉ０（−）の計算からモニタセルの素子インピーダンスを得ている。このことから，本願発明の「前記モニタセルの電流変化に伴う」とは，通常時とは異なる試験電流に変化した電流を流すことで，これに伴う前記モニタセルおよび前記ポンプセルの電圧変化に基づいて前記ガスセンサの素子インピーダンスを検出しているものと解されるから，刊行物１発明の「起電力セル２４側へ温度測定用定電流−Ｉconstを印加することに伴う」は，本願発明の「前記モニタセルの電流変化に伴う」に相当することは明らかである。
　また，刊行物１発明の「内部抵抗」は，本願発明の「素子インピーダンス」に相当する。
　そうすると，刊行物１発明の「起電力セル２４側へ温度測定用定電流−Ｉconstを印加することに伴う，該起電力セル２４の電位変化ΔＶＳおよびポンプセルの電位ＶＰから内部抵抗を測定」することは，本願発明の「前記モニタセルの電流変化に伴う前記モニタセルおよび前記ポンプセルの電圧変化に基づいて前記ガスセンサの素子インピーダンスを検出」することに相当する。
　
（４）本願明細書の段落【００４２】には，「ポンプセル電流ＩＰは被測定ガス中の特定成分である酸素のガス濃度に応じて変化する電気的状態を示すパラメータである。ＰＩＤ出力電圧ＶPIDは，酸素濃度の検出信号となる。」と記載されており，本願発明の酸素濃度の検出信号とは，ＰＩＤ出力電圧ＶPIDを意味するものである。
　よって，刊行物１発明の「ポンプセル１４に流される電流Ｉｐの量に比例する電圧である該ＰＩＤ回路の出力電圧ＶPID」は，本願発明の「ポンプセル電流に基づいて求められる前記酸素濃度の検出信号」に相当することは明らかである。
　そうすると，刊行物１発明の「該起電力セル２４の起電力をコンデンサＣ１にホールドすることで，ポンプセル１４に流される電流Ｉｐの量に比例する電圧ＶPIDを一定の値に維持する手段」と，本願発明の「ポンプセル電流に基づいて求められる前記酸素濃度の検出信号をホールドするホールド手段」とは，「ポンプセル電流に基づいて求められる前記酸素濃度の検出信号を一定に維持する手段」という点で共通する。
　また，刊行物１において，スイッチＳＷ１がオフになることで，ＰＩＤ回路の出力電圧ＶPIDが一定に維持される。その後，スイッチＳＷ１を構成するＣＭＯＳのディレイ時間である約１μｓ時間Ｔ１が経過した後，スイッチＳＷ２がオンとなり，素子の抵抗が測定される。したがって，刊行物１発明において，酸素濃度の検出信号ＶPIDを一定に維持する時は，素子インピーダンスの検出実施前となる。そして，刊行物１には「スイッチＳＷ２が，起電力セルのプラス端子へ温度測定用定電流を印加した際に，スイッチＳＷ１がオフとなりコンデンサＣ１に保持されている電圧が，ＰＩＤ回路の入力電位を一定に保ち，該ＰＩＤ回路の出力値を一定に維持する。このため，起電力セルの温度測定中においても，酸素濃度検出回路がＰＩＤ回路の出力電圧に基づき，一定の酸素濃度を出力することができる」（摘記事項（１−９））と記載されており，起電力セルの温度測定中，すなわち，素子インピーダンス検出時には，該測定前のＰＩＤ回路の出力電圧ＶPIDが一定に維持されて，一定の酸素濃度が出力されることが読み取れる。
　よって，刊行物１発明の「スイッチＳＷ１がオフとなり，コンデンサＣ１にホールドされた一定電位がＰＩＤ回路の入力電位を一定に保ち，該ＰＩＤ回路の出力電圧ＶPIDを一定に維持され，その後，スイッチＳＷ１を構成するＣＭＯＳのディレイ時間である約１μｓ時間Ｔ１が経過した後，スイッチＳＷ２が時間Ｔ３（約１００μｓ）に渡りオンし，抵抗値測定用の一定電流−Ｉconst（−４．８８mA）を起電力セル２４側に流すようにした」ことと，本願発明の「素子インピーダンスの検出時には，素子インピーダンスの検出実施前の前記酸素濃度の検出信号をホールドするようにした」こととは，「素子インピーダンスの検出時には，素子インピーダンスの検出実施前の前記酸素濃度の検出信号を一定に維持するようにした」という点で共通する。
　　
（５）刊行物１発明の「酸素センサの制御装置」は，本願発明の「ガスセンサの制御装置」に包含される。
　
　以上の事項を総合すると，両者は，下記の一致点で一致し，下記の相違点で相違する。
　
（一致点）
「　それぞれ固体電解質体と一対の電極よりなるモニタセルとポンプセルを有するガスセンサの制御装置であって，
前記モニタセルの出力が一定となるように，前記モニタセルの出力に基づき前記ポンプセル電流を制御して，該ポンプセル電流に基く被測定ガス中の酸素濃度を検出するとともに，
前記モニタセルの電流変化に伴う前記モニタセルおよび前記ポンプセルの電圧変化に基づいて前記ガスセンサの素子インピーダンスを検出し，
ポンプセル電流に基づいて求められる前記酸素濃度の検出信号を一定に維持する手段を具備せしめ，
素子インピーダンスの検出時には，素子インピーダンスの検出実施前の前記酸素濃度の検出信号を一定に維持するようにしたことを特徴とするガスセンサの制御装置」
　
（相違点）
　酸素濃度の検出信号を一定に維持するための手段が，本願発明では「酸素濃度の検出信号をホールド」するものであるのに対して，刊行物１では「起電力セル２４の起電力をコンデンサＣ１にホールド」するものである点で相違する。
　
第５　判断
　上記相違点について検討するに，刊行物１発明は，起電力セル２４の起電力をコンデンサＣ１にホールドすることで，一定のＶPIDが出力されるようになるものである。本願発明が直接「酸素濃度の検出信号」，すなわち，ＶPIDをホールドするのに対して，刊行物１発明は，「酸素濃度検出信号」を導くために使用する「起電力セル２４の起電力」をホールドしているという違いにすぎず，どちらをホールドしても酸素濃度の検出信号が一定に維持されるのであって，作用効果に違いはない。
　よって，酸素濃度の検出信号を一定にするのに際し，酸素濃度の検出信号自体をホールドするか，酸素濃度の検出信号を導くために使用される起電力セルの起電力をホールドするかのどちらを選ぶかは，単なるホールド対象の選択に過ぎず，当業者が適宜決め得る設計的事項といえる。
　
　そして，本願発明の効果も，刊行物１記載の事項から当業者が予測し得るものであって，格別顕著なものとはいえない。
　
　したがって，本願発明は，刊行物１に記載された発明に基いて，当業者が容易に発明をすることができたものであるから，特許法第２９条第２項の規定により特許を受けることができない。
　
　
　仮に，酸素濃度の検出信号をホールドすることを選ぶことに困難性があるとしても，刊行物２には，素子のインピーダンス測定中に酸素濃度の検出信号をホールドすることが記載されている（摘記事項（２−１）〜（２−４））から，刊行物１発明において，酸素濃度値の固定手段として，刊行物２記載の技術的事項を採用して，本願発明の如く構成することに何の困難性もない。
　
　そして，本願発明の効果も，刊行物１及び刊行物２記載の事項から当業者が予測し得るものであって，格別顕著なものとはいえない。
　
　したがって，本願発明は，刊行物１及び２に記載された発明に基いて，当業者が容易に発明をすることができたものであるから，特許法第２９条第２項の規定により特許を受けることができない。
　
　なお，請求人は，審判請求書において「本願発明と引用文献２（当審注：刊行物２に相当。）記載の発明とを比較いたしますと，引用文献２記載の発明には，ＮＯｘ濃度等の特性成分を検出するガス濃度検出装置に関するものであります。そして，引用文献２記載の発明には，ポンプセルやセンサセルとの類似の表現が用いられており，一見，本願発明のモニタセルやポンプセルを有していると判断されるかもしれません。しかしながら，上述したように，引用文献２記載の発明におけるポンプセルとは，排ガス中の酸素濃度に応じて限界電流特性を示すセルであり，また，センサセルとは，排ガス中の特定成分濃度に応じた限界電流特性を示すセルを指しています（引用文献２の段落［００３７］［００３９］参照）。即ち，引用文献２記載の発明におけるポンプセル及びセンサセルは，互いに異なるガス濃度に応じた特性を示すセルにすぎません。
　それに対して，本願発明は，モニタセルの出力が一定となるように，モニタセルの出力に基づきポンプセル電流を制御して，この制御量から被測定ガス中の酸素濃度を検出するガスセンサにおける特有の課題を解決した発明であります。
　このように，本願発明のガスセンサとは全く異なるガスセンサである引用文献２記載の発明からでは，例え当業者といえども，容易に本願発明を導くことができるものではありません。」と主張する。
　しかしながら，刊行物１発明と刊行物２に記載された技術的事項は，共に，内部抵抗測定中の酸素濃度値を固定するという点で共通の課題を有しており，かつ，同じ固体電解質を用いる酸素センサであり，刊行物１発明に刊行物２に記載された技術的事項を適用することを妨げるような事情は見いだせない。
　よって，請求人の主張を採用することはできない。
　
第６　まとめ
　以上のごとく，本願発明は，刊行物１記載の発明に基づいて又は刊行物１及び刊行物２に記載の発明に基づいて当業者が容易に発明をすることができたものであるから，特許法第２９条第２項の規定により，特許を受けることができないものである。
　したがって，その他の請求項に係る発明についての判断を示すまでもなく，本願は拒絶すべきものである。 
 　よって，結論のとおり審決する。